(57)【要約】      （修正有）【課題】画像をタッチパネルに表示可能に構成された電子機器において、ユーザーの誤操作を防止する。【解決手段】画像を表示可能なタッチパネル１１ａと、該タッチパネルに指を接触したまま移動させるスワイプ操作を検出するコントローラー２１の操作検出部と、該操作検出部にて検出されたスワイプ操作に応じてタッチパネルの表示を制御するコントローラー２１の表示制御部と、を備えた電子機器において、表示制御部は、操作検出部が検出したスワイプ操作が、指を直線状に移動させる第１のスワイプ操作である場合には、第１の制御処理を実行する一方、上記操作検出部が検出したスワイプ操作が、上記第１のスワイプ操作とは異なる経路で指を移動させる第２のスワイプ操作である場合には、上記第１の制御処理とは異なる第２の制御処理を実行する。【選択図】図１
2015088159.tif 000002
【特許請求の範囲】
【請求項１】
画像を表示可能なタッチパネルと、該タッチパネルに指を接触したまま移動させるスワイプ操作を検出する操作検出部と、該操作検出部にて検出されたスワイプ操作に応じてタッチパネルの表示を制御する表示制御部と、を備えた電子機器であって、
上記表示制御部は、
上記操作検出部が検出したスワイプ操作が、指を直線状に移動させる第１のスワイプ操作である場合には、第１の制御処理を実行する一方、上記操作検出部が検出したスワイプ操作が、上記第１のスワイプ操作とは異なる経路で指を移動させる第２のスワイプ操作である場合には、上記第１の制御処理とは異なる第２の制御処理を実行するように構成されている、電子機器。
【請求項２】
請求項１記載の電子機器において、
上記第２のスワイプ操作は、指の移動経路の途中に閉ループが形成される操作である、電子機器。
【請求項３】
請求項１又は２記載の電子機器において、
上記第２の制御処理は、複数の異なる処理を含み、
上記表示制御部は、上記操作検出部が検出したスワイプ操作が上記第２のスワイプ操作である場合において、当該スワイプ操作の開始位置と終了位置とに応じて、上記第２の制御処理に含まれる複数の異なる処理のうち一の処理を実行するように構成されている、電子機器。
【請求項４】
請求項３記載の電子機器において、
上記画像は複数であり、
上記表示制御部は、上記複数の画像を所定の順番に並べて表示するように構成され、
上記複数の異なる処理には、
上記第２のスワイプ操作の開始位置にある画像と終了位置にある画像とを入替える画像入替え処理と、
上記第２のスワイプ操作の終了位置が画像の存在しない背景部分である場合に、当該スワイプ操作の開始位置にある画像を削除する画像削除処理と、
上記第２のスワイプ操作の開始位置が画像の存在しない背景部分である場合に、当該スワイプ操作の終了位置にある画像と該画像よりも順番が一つ前の画像との間に白紙画像を挿入する白紙画像挿入処理と、
上記第２のスワイプ操作の開始位置及び終了位置が共に、画像の存在しない背景部分である場合に、上記複数の画像に対して何もしないノンアクション処理と、のうち少なくとも二つの処理が含まれる、電子機器。
【請求項５】
請求項１乃至４のいずれか一項に記載の電子機器において、
上記第１の制御処理は、上記画像に対して何もしないノンアクション処理である、電子機器。
【発明の詳細な説明】
【技術分野】
【０００１】
本発明は、電子機器に関する。
【背景技術】
【０００２】
従来より、複数の画像をタッチパネルにプレビュー表示させる画像形成装置や携帯端末等の電子機器は知られている。例えば、特許文献１に示す画像形成装置（電子機器の一例）では、ユーザーが、指をタッチパネルに触れたまま直線状に移動させるスワイプ操作を行うことで、複数の原稿画像の順序を変更可能になっている。
【０００３】
ところで、原稿画像の数が多い場合、タッチパネル内に全ての原稿画像のプレビュー表示が収まりきらない場合がある。この場合にユーザーが各原稿画像を確認できるように、タッチパネルの画面をスクロールさせる技術が提案されている。例えば、特許文献２に示す画像形成装置（電子機器の一例）では、ユーザーがタッチパネル上で指を直線状にスワイプさせると、この指の移動方向に画面がスクロールするようになっている。
【先行技術文献】
【特許文献】
【０００４】
【特許文献１】特開２０１２−４８５２５号公報
【発明の概要】
【発明が解決しようとする課題】
【０００５】
ところで、上記特許文献１に示す電子機器に上記特許文献２に示す画面スクロール技術を適用した場合、次の問題が生じる。すなわち、例えばユーザーがタッチパネル上で指を直線状にスワイプさせた場合に、この操作が、原稿画像（画像）の順序変更を要求するものであるか、それとも画面のスクロールを要求するものであるかを区別できないという問題が生じる。これに対して、タッチパネルに対する指のタッチ速度やタッチ時間によってこの２つの要求を区別することが考えられる。しかし、タッチ時間やタッチ速度は、ユーザーの感覚に頼る部分が大きいため、誤操作が生じ易いという問題がある。
【０００６】
本発明は、かかる点に鑑みてなされたものであり、その目的とするところは、画像をタッチパネルに表示可能に構成された電子機器において、ユーザーの誤操作を防止することにある。
【課題を解決するための手段】
【０００７】
本発明に係る電子機器は、画像をプレビュー表示可能なタッチパネルと、該タッチパネルに指を接触したまま移動させるスワイプ操作を検出する操作検出部と、該操作検出部にて検出されたスワイプ操作に応じてタッチパネルの表示を制御する表示制御部と、を備えている。
【０００８】
そして、上記表示制御部は、上記操作検出部が検出したスワイプ操作が、指を直線状に移動させる第１のスワイプ操作である場合には、第１の制御処理を実行する一方、上記操作検出部が検出したスワイプ操作が、上記第１のスワイプ操作とは異なる経路で指を移動させる第２のスワイプ操作である場合には、上記第１の制御処理とは異なる第２の制御処理を実行するように構成されている。
【０００９】
この構成によれば、ユーザーは、直線状の第１のスワイプ操作と、該第１のスワイプ操作とは異なる第２のスワイプ操作とを使い分けることで、タッチパネルに表示された画像に対する制御処理を異ならせることができる。よって、例えば、直線状のスワイプ操作におけるタッチ速度やタッチ時間によって画像に対する制御処理を異ならせる場合に比べて、ユーザーの感覚に頼らずに、各制御処理を区別して実行することができる。よって、ユーザーの誤操作を確実に防止することができる。
【発明の効果】
【００１０】
本発明によれば、画像をタッチパネルに表示可能に構成された電子機器において、ユーザーの誤操作を防止することができる。
【図面の簡単な説明】
【００１１】
【図１】図１は、実施形態における電子機器の一例である複写機を示すブロック図である。
【図２】図２は、タッチパネルに表示された原稿画像を示す概略図である。
【図３】図３は、第２のスワイプ操作を示す模式図である。
【図４】図４は、第１スワイプ操作により実行される画面スクロール処理を示す図であって、上段は操作前の状態を示し、下段は操作後の状態を示している。
【図５】図５は、第２スワイプ操作により実行される各種の処理をまとめた表である。
【図６】図６は、第２スワイプ操作により実行される画像入替え処理を示す図であって、上段は操作前の状態を示し、下段は操作後の状態を示している。
【図７】図７は、第２スワイプ操作により実行される画像削除処理を示す図であって、上段は操作前の状態を示し、下段は操作後の状態を示している。
【図８】図８は、第２スワイプ操作により実行される白紙画像挿入処理を示す図であって、上段は操作前の状態を示し、下段は操作後の状態を示している。
【図９】図９は、第２スワイプ操作により実行されるノンアクション処理を示す図であって、上段は操作前の状態を示し、下段は操作後の状態を示している。
【図１０】図１０は、他の実施形態における第２スワイプ操作の一例を示す模式図である。
【図１１】図１１は、他の実施形態における第２スワイプ操作の一例を示す模式図である。
【発明を実施するための形態】
【００１２】
以下、本発明の実施形態を図面に基づいて詳細に説明する。尚、本発明は、以下の実施形態に限定されるものではない。
《実施形態１》
【００１３】
図１は、実施形態１における電子機器の一例としての複写機１０を示すブロック図である。上記複写機１０は、操作表示部１１、画像読取部１２、画像データ記憶部１３、画像処理部１４、給紙カセット部１５、画像形成部１６、及びコントローラー２１を備えている。
【００１４】
操作表示部１１は、液晶式のタッチパネル１１ａを有している。タッチパネル１１ａは、該パネル１１ａに対する指の接触位置を検出して、その検出信号をコントローラー２１に出力する。コントローラー２１は、後述するように、タッチパネル１１ａからの検出信号を基に、タッチパネル１１上におけるユーザーの指の移動経路を検出する。
【００１５】
画像読取部１２は、コントローラー２１からの指令を受けて、プラテンガラス上に載置された原稿用紙の画像（原稿画像）をラインセンサにより読取って画像データに変換する。画像読取部１２は、該変換後の画像データを画像データ記憶部１３に出力する。
【００１６】
画像データ記憶部１３は、例えば半導体メモリー又はハードディスクなどにより構成されている。画像データ記憶部１３には、画像読取部１２にてスキャンした原稿画像データが記憶される。画像データ記憶部１３は、コントローラー２１からの指令を受けて画像データを記憶したり、該記憶した画像データを読み出して画像処理部１６に出力したり、コントローラー２１に出力したりする。
【００１７】
画像処理部１４は、コントローラー２１からの指令を受けて、画像データ記憶部１３から入力される画像データに対して各種の画像処理を施すとともに、上記タッチパネル１１ａにて選択された用紙サイズに応じて画像データのサイズを調整（拡大又は縮小）する。画像処理部１４は、サイズ調整後の画像データを画像形成部１６に出力する。
【００１８】
給紙カセット部１５は、用紙が収容される第１〜第３カセット１５ａ〜１５ｃを有している。各カセット１５ａ〜１５ｃにはそれぞれ、異なるサイズの記録用紙が補充可能に収容される。
【００１９】
画像形成部１６は、記録用紙を所定の搬送経路に沿って搬送するための搬送機構と、該搬送経路に設けられたプリントエンジン（感光ドラム、帯電器、現像装置、及び定着ローラーなど）とを有している。画像形成部１６は、コントローラー２１からの指令を受けて、給紙ローラーによって給紙カセット部１５から搬送経路へと用紙を供給する。そして、画像形成部１６は画像処理部１４から入力された画像データに基づく画像を、上記プリントエンジンによって用紙に転写して定着させ、その後、当該用紙を排出ローラーにより排出トレイへと排出する。
【００２０】
コントローラー２１は、ＣＰＵ、ＲＯＭ及びＲＡＭ等を有するマイクロコンピューターからなる。コントローラー２１は、ＲＯＭに記憶された制御プログラムを実行することにより、複写機１０の動作制御やタッチパネル１１ａの表示制御を実行する。
【００２１】
具体的には、コントローラー２１は、画像読取部１２にて読取った原稿画像を画像データ記憶部１３より読み出してタッチパネル１１ａにプレビュー表示させる。コントローラー２１は、原稿画像が複数存在する場合には、複数の原稿画像をタッチパネル１１ａに収まる範囲で表示する。このとき、コントローラー２１は、複数の原稿画像のそれぞれに対してページ情報及び裏表情報を付与して、この付与したページ情報及び裏表情報に基づいて、各画像を所定の順番（例えばページ順で且つ表裏交互の順番）で並べる（図２参照）。
【００２２】
コントローラー２１は、タッチパネル１１ａからの検出信号を基に、複数の原稿画像の表示を制御する。具体的には、コントローラー２１は、タッチパネル１１ａからの検出信号を基に、ユーザーがスワイプ操作を実行したか否かを検出する。ここで、スワイプ操作とは、指をタッチパネル１１ａに接触させたまま移動させる操作である。
【００２３】
そして、コントローラー２１は、上記スワイプ操作を検出した場合には、このスワイプ操作が、第１及び第２のスワイプ操作のいずれに該当するかを判定する。ここで、第１のスワイプ操作とは、指の移動経路が直線状をなすスワイプ操作であり、第２のスワイプ操作とは、図３に示すように、指の移動経路の途中に閉ループが形成されるようなスワイプ操作である。
【００２４】
コントローラー２１は、第１のスワイプ操作を検出した場合には、第１の制御処理として、画面スクロール処理を実行する。図４に示すように、上記画面スクロール処理では、指の移動する向きに画面をスクロールさせる。
【００２５】
一方、コントローラー２１は、上記第２のスワイプ操作を検出した場合には、第２の制御処理を実行する。この第２の制御処理は、画像入替え処理と画像削除処理と白紙画像挿入処理とノンアクション処理とを含んでいる。コントローラー２１は、第２のスワイプ操作の開始位置と終了位置とに応じて、これら４つの処理のうちいずれか一つを実行する。
【００２６】
図５は、第２のスワイプ操作の開始位置及び終了位置と、コントローラー２１により実行される処理との関係をまとめた表である。
【００２７】
同図に示すように、コントローラー２１は、第２のスワイプ操作の開始位置及び終了位置が共に、タッチパネル１１ａにおける原稿画像が位置する部分（以下、原稿画像部分という）である場合には、画像入替え処理を実行する。図６に示すように、この画像入替え処理では、第２のスワイプ操作の開始位置にある原稿画像（図では１ページの表面画像）と終了位置にある原稿画像（図では２ページの表面画像）とを入替える。
【００２８】
コントローラー２１は、第２のスワイプ操作の開始位置が原稿画像部分で且つ終了位置が原稿画像の存在しない背景部分である場合には、画像削除処理を実行する。図７に示すように、この画像削除処理では、第２のスワイプ操作の開始位置にある原稿画像（図では１ページの表面画像）を削除するとともに、削除した原稿画像よりも順番が後の画像（１ページの裏面画像以降の画像）を繰り上げる。
【００２９】
コントローラー２１は、第２のスワイプ操作の開始位置が背景部分で且つ終了位置が原稿画像部分である場合には、白紙画像挿入処理を実行する。図８に示すように、この白紙画像挿入処理では、第２のスワイプ操作の終了位置にある原稿画像（図では２ページの表面画像）と該原稿画像よりも順番が１つ前の原稿画像（図では１ページの裏面画像）との間に白紙画像を挿入する。
【００３０】
コントローラー２１は、第２のスワイプ操作の開始位置及び終了位置が共に背景部分である場合には、ノンアクション処理を実行する。図９に示すように、このノンアクション処理は、タッチパネル１１ａに表示された原稿画像に対して何もしない処理である。
【００３１】
以上説明したように、上記コントローラー２１は、第１のスワイプ操作（直線状のスワイプ操作）を検出した場合には、第１の制御処理として画面スクロール処理を実行する一方、第２のスワイプ操作（ループ経路を含むスワイプ操作）を検出した場合には、第２の制御処理を実行するように構成されている。
【００３２】
したがって、ユーザーは、直線状の第１のスワイプ操作と、ループ経路を含む第２のスワイプ操作とを使い分けることで、プレビュー表示された原稿画像に対する制御処理を異ならせることができる。よって、例えば、直線状のスワイプ操作におけるタッチ速度やタッチ時間によって原稿画像に対する制御処理を異ならせるようにした場合に比べて、ユーザーの感覚に頼らずに、各制御処理を区別して実行することができる。よって、ユーザーの誤操作を確実に防止することができる。
【００３３】
しかも、上記第２のスワイプ操作は、指の移動経路の途中に閉ループが形成されるような操作とされている。したがって、ユーザーは、指の自然な動きによって第２のスワイプ操作を実行することができる。
【００３４】
さらに上記実施形態では、コントローラー２１は、第２のスワイプ操作の開始位置と終了位置とに応じて、複数の異なる処理（画像入替え処理、画像削除処理、白紙画像挿入処理、及びノンアクション処理）を区別して実行するように構成されている。
【００３５】
したがって、タッチパネル１１ａに各処理を実行するための実行ボタンを設けたりしなくても、ユーザーがスワイプ操作の開始位置及び終了位置を変化させるだけで、各処理を容易に区別して実行することができる。
【００３６】
《他の実施形態》
【００３７】
上記実施形態では、第１の制御処理は画面スクロール処理とされているが、これに限ったものではなく、例えばノンアクション処理であってもよい。これによれば、コントローラー２１は、第１のスワイプ操作（直線状のスワイプ操作）を検出したとしても原稿画像に対し何もせず、ループ経路を含む第２のスワイプ操作を検出した場合にのみ、原稿画像に対して各種処理を実行する。したがって、ユーザーが誤ってタッチパネル１１ａに触れる等した場合に、ユーザーの意図に反して原稿画像に対して各種の処理が実行されるのを防止することができる。よって、ユーザーの誤操作を防止することが可能となる。尚、この場合、第２の制御処理がノンアクション処理でないことは言うまでもない。
【００３８】
上記実施形態では、第２のスワイプ操作は、指の移動経路の途中にループ経路を含むような操作とされているが、これに限ったものではなく、例えば、図１０に示すように指をＶ字状に移動させる操作であってもよいし、図１１に示すように、指を円弧状に移動させる操作であってもよい。すなわち、第２のスワイプ操作は、指を直線状に移動させる第１のスワイプ操作と異なる経路で指を移動させる操作であれば、如何なる操作であってもよい。
【００３９】
上記実施形態では、電子機器の一例として複写機１０について説明したが、電子機器は、これに限らず、例えばプリンター、スキャナ装置、複合機、又は携帯端末等であってもよい。
また、上記実施形態では、電子機器のタッチパネル１１ａに表示される画像は、画像読取部１２により読取った原稿画像とされているが、これに限ったものではなく、インターネット上からダウンロードした画像や外部端末から受信した画像であってもよい。
【産業上の利用可能性】
【００４０】
以上説明したように、本発明は、タッチパネルを有する電子機器について有用であり、特に、画像をタッチパネル上にプレビュー表示可能な電子機器に有用である。
【符号の説明】
【００４１】
１０   複写機（電子機器）
１１ａ タッチパネル
２１   コントローラー（操作検出部、表示制御部）
【図１】
2015088159.tif 000003
【図２】
2015088159.tif 000004
【図３】
2015088159.tif 000005
【図４】
2015088159.tif 000006
【図５】
2015088159.tif 000007
【図６】
2015088159.tif 000008
【図７】
2015088159.tif 000009
【図８】
2015088159.tif 000010
【図９】
2015088159.tif 000011
【図１０】
2015088159.tif 000012
【図１１】
2015088159.tif 000013